(57)【特許請求の範囲】
【請求項１】
記録媒体に記録されたデータ及び記録可能領域情報を、インデックス情報であるＵＴＯＣ（User's Table Of Contents）情報により管理する光ディスク記録再生装置において、
記録対象音声のレベルを検出するレベル検出手段と、
前記レベル検出手段によって検出された音声のレベルと閾値とを比較判定するレベル判定手段と、
有音か無音かに関わらず一旦全入力音声の記録を行ないながら、前記レベル判定手段の判定結果を基に、前記記録対象音声のレベルが前記閾値を上廻るときと下廻るときとにトラックナンバを逐次１ずつ増加して更新し、更新されたトラックナンバを前記ＵＴＯＣ情報として記録し、記録されたトラックナンバが奇数か偶数かにより、無音のトラックか有音のトラックかの判別を行なうシステムコントロール手段とを備えたことを特徴とする光ディスク記録再生装置。
【請求項２】
前記レベル検出手段として、音声のレベルをアナログレベルで検出するアナログレベル検出手段を具備し、前記レベル判定手段として、音声のレベルと閾値とをアナログレベルで比較判定するアナログレベル判定手段を具備することを特徴とする請求項１に記載の光ディスク記録再生装置。
【請求項３】
前記レベル検出手段及びレベル判定手段として、音声のレベルをＡ／Ｄ変換後のディジタルレベルで検出し、検出した前記音声のディジタルレベルと閾値のディジタルレベルとを比較判定する信号処理回路を具備することを特徴とする請求項１に記載の光ディスク記録再生装置。
【請求項４】
前記システムコントロール手段が、前記無音のトラック同士を１つのトラックナンバにまとめ、前記有音のトラック同士を１つのトラックナンバにまとめるようにＵＴＯＣ情報を編集することを特徴をする請求項１乃至３に記載の光ディスク記録再生装置。
【請求項５】
更新された前記トラックナンバが規定数に達したか否かを判定するトラックナンバ判定手段を設け、前記トラックナンバ判定手段が更新中のトラックナンバについて規定数に達したと判定したとき、前記システムコントロール手段が、前記無音のトラック同士を１つのトラックナンバにまとめ、前記有音のトラック同士を１つのトラックナンバにまとめるようにＵＴＯＣ情報を編集することを特徴をする請求項４に記載の光ディスク記録再生装置。
【請求項６】
前記ＵＴＯＣ情報に基づいて記録中のディスクの記録可能な残り時間を判定するディスク残量判定手段を設け、前記ディスク残量判定手段がディスクの記録可能な残り時間をゼロと判定したとき、前記システムコントロール手段が、記録を継続するため、前記無音のトラックへのオーバーライトを行なうように制御することを特徴をする請求項１乃至３に記載の光ディスク記録再生装置。
【請求項７】
前記無音のトラックを再生して記録された音声レベルと前記閾値とを比較する無音トラック再チェック手段を設け、前記再チェック手段が有音と判定したトラックについて、前記システムコントロール手段が、前後に存在する有音のトラックと統合したトラックナンバを付すようにＵＴＯＣ情報を編集することを特徴をする請求項１乃至３に記載の光ディスク記録再生装置。
【発明の詳細な説明】
【０００１】
【発明の属する技術分野】
本発明は、音声等の記録時に不必要な無音部分を必要な有音部分と区別できるようにした光ディスク記録再生装置に関し、特に、無音部分の判定の確実性を高めたものである。
【０００２】
【従来の技術】
従来、音声等をディスクに記録するときに、不必要な無音部分を記録しないことによって記録時間を短縮し、ディスクの記録領域の有効活用を図る情報記録装置が開発されている。そのような装置の１つとして特開平３−２３２１５９号公報に記載されている装置について説明する。
【０００３】
この装置は、図１０に示すように、使用者が命令を入力する操作部１と、使用者の命令に基づいて装置各部の制御を行なうシステムコントロール部２と、記録対象の音声信号が入力する音声入力回路３と、音声信号の信号処理を行なう信号処理回路４と、信号処理された音声信号をディジタル信号に変換するＡ／Ｄ変換回路９と、入力音声信号のレベルを検出するレベル検出器５と、入力レベルを所定の閾値と比較するレベル比較器５と、レベル比較器５の比較結果に基づいて入力音声信号の記録の可否を制御するメモリ制御部７と、メモリ制御部７の制御の下に音声信号の有音部分のみを記録する半導体メモリ８と、半導体メモリ８から読み出した音声信号をアナログ信号に変換するＤ／Ａ変換回路10と、変換されたアナログ信号の信号処理を行なう信号処理回路11と、信号処理された音声信号を記録ディスク13に記録する記録回路12とを備えている。
【０００４】
この装置では、まず、音声記録を行なう場合に、ディスク11のトラックに記録する時間とレベル比較器５の閾値レベルとを操作部１で設定する。そして操作部１から音声記録命令を入力すると、音声入力回路３より音声信号が入力され、レベル検出器５によってその出力レベルが検出される。このレベルは所定の閾値でレベル比較器６によって弁別され、レベル比較器６の出力が音声レベルに応じてオン・オフするものとすれば、これに対応してメモリ制御部７が半導体メモリ８の記録状態を制御し、信号処理回路４及びＡ／Ｄ変換回路９を介してディジタル信号に変換された信号が半導体メモリ８に記録される。
【０００５】
記録された有音部分の音声信号は、Ｄ／Ａ変換回路10でアナログ信号に変換された後、信号処理され、記録ディスク13に記録される。
【０００６】
こうした動作により不必要な無音声部分を除いた記録が行なわれる。
【０００７】
【発明が解決しようとする課題】
しかし、この装置では、無音と判定された部分が記録に残らないため、誤って無音と判定したとしても、後からそれをチェックしたり、判定を修正したりすることができないという問題点がある。そのため、誤判定を恐れて、無音と判定する割合が減るように閾値を低く設定すると、無音部の多くが取り込まれて記録され、記録時間や再生時間の短縮、あるいは記録領域の有効活用ができなくなるという問題点がある。
【０００８】
本発明は、こうした従来の問題点を解決するものであり、無音部を簡単に再チェックしたり、無音部を有音部に修正したりすることができ、また、記録された有音部だけの再生を簡単且つ正確に実施することができる光ディスク記録再生装置を提供することを目的としている。
【０００９】
【課題を解決するための手段】
そこで、本発明の光ディスク記録再生装置では、有音か無音かに関わらず一旦全入力音声の記録を行ないながら、記録対象の音声レベルが規定の閾値を上廻るときと下廻る時とにトラックナンバを逐次１ずつ更新し、トラックナンバが奇数か偶数かにより、無音のトラックか有音のトラックかの判別が行なえるように構成している。
【００１０】
また、記録中にディスクの未記録部分が無くなった場合には、無音トラック上にオーバライトすることにより記録の継続を可能にし、また、無音トラックと判別されたトラックについては、そこに記録された音声レベルを再チェックできるように構成している。
【００１１】
そのため、有音部と無音部との判別をトラックナンバのみで容易に行なうことができ、また、その判定の信頼性を向上されることができる。
【００１２】
【発明の実施の形態】
本発明は、記録媒体に記録されたデータ及び記録可能領域情報を、インデックス情報であるＵＴＯＣ情報により管理する光ディスク記録再生装置において、記録対象音声のレベルを検出するレベル検出手段と、レベル検出手段によって検出された音声のレベルと閾値とを比較判定するレベル判定手段と、レベル判定手段の判定結果を基に、記録対象音声のレベルが閾値を横切るときにトラックナンバを逐次１ずつ更新し、ナンバリングされたトラックナンバが奇数か偶数かにより、無音のトラックか有音のトラックかの判別を行なうシステムコントロール手段とを設けたものであり、有音部のトラックと無音部のトラックとを、トラックナンバの奇数、偶数により容易に判別することができ、有音部だけの再生や、無音部のチェックを容易に実施することができる。
【００１３】
本発明は、前記レベル検出手段を、音声のレベルをアナログレベルで検出するアナログレベル検出手段で構成し、前記レベル判定手段を、音声のレベルと閾値とをアナログレベルで比較判定するアナログレベル判定手段で構成したものであり、アナログレベルの比較により、入力音声の無音部と有音部とを判別する。
【００１４】
本発明は、前記レベル検出手段及びレベル判定手段を、音声のレベルをＡ／Ｄ変換後のディジタルレベルで検出し、検出した音声のディジタルレベルと閾値のディジタルレベルとを比較判定する信号処理回路で構成したものであり、特別なアナログ回路を必要とせずに、信号処理回路の中でのディジタル処理によって入力音声の無音部と有音部との判別を実施することができる。
【００１５】
本発明は、前記システムコントロール手段が、無音のトラック同士を１つのトラックナンバにまとめ、有音のトラック同士を１つのトラックナンバにまとめるようにＵＴＯＣ情報の編集を行なうものであり、判別された複数の有音トラック同士と複数の無音トラック同士とを１つのトラックナンバに統合することにより、ＵＴＯＣ情報の管理が容易になる。
【００１６】
本発明は、更新された前記トラックナンバが規定数に達したか否かを判定するトラックナンバ判定手段を設け、このトラックナンバ判定手段が更新中のトラックナンバについて規定数に達したと判定したとき、システムコントロール手段が、無音のトラック同士を１つのトラックナンバにまとめ、有音のトラック同士を１つのトラックナンバにまとめるようにＵＴＯＣ情報の編集を行なうものであり、記録過程で、有音部、無音部の繰り返しにより逐次増加するトラックナンバが規定数を超えることを防ぐことができる。
【００１７】
本発明は、ＵＴＯＣ情報に基づいて記録中のディスクの記録可能な残り時間を判定するディスク残量判定手段を設け、このディスク残量判定手段がディスクの記録可能な残り時間をゼロと判定したとき、システムコントロール手段が、記録を継続するため、無音のトラックへのオーバーライトを行なうように制御するものであり、無音部へのオーバライトを行なうことによってディスクの記録領域の有効活用を図ることができる。
【００１８】
本発明は、無音のトラックを再生して記録された音声レベルと閾値とを比較する無音トラック再チェック手段を設け、この再チェック手段が有音と判定したトラックについて、システムコントロール手段が、前後に存在する有音のトラックと統合したトラックナンバを付すようにＵＴＯＣ情報の編集を行なうものであり、有音と判定した部分及び無音と判定した部分を一旦すべて連続して記録した後、無音トラックをオーバライトに使用しようとするとき、有音トラックか無音トラックかを再確認することができる。この再チェックで必要な有音部と不要な無音部との判定の確実性を向上させることができる。
【００１９】
以下、本発明の実施の形態について、図面を用いて説明する。
【００２０】
（第１の実施の形態）
第１の実施形態の光ディスク記録再生装置は、図１に示すように、使用者が入力操作を行なう、スイッチ等で構成される操作部14と、各部のシステム制御やシステムコントロールを行なう、マイクロコントローラ、マイクロコンピュータまたはマイクロプロセッサ等により構成されるシステムコントロール手段15と、記録対象の音声を入力するマイクロフォン等で構成される音声入力手段16と、入力したアナログ音声レベルを増幅するアンプ回路等で構成されるレベル増幅手段17と、記録対象の音声レベルをアナログレベルで検出する検波回路等により構成されるアナログレベル検出手段18と、記録対象の音声のレベルと規定の閾値とをアナログレベルで比較するコンパレータ回路等により構成されるアナログレベル判定手段19と、アナログ信号をディジタル信号に変換するＡ／ＤコンバータＬＳＩ等で構成されるＡ／Ｄ変換手段20と、音声圧縮エンコードなどのディジタルデータ処理を行なう信号処理ＬＳＩ等で構成される信号処理回路21と、半導体メモリへのデータ書き込みや半導体メモリからのデータ読み出しを制御するメモリ制御ＬＳＩ等で構成されるメモリ制御部22と、データの一時蓄積を行なう半導体メモリＬＳＩ等により構成されるメモリ手段23と、ＥＦＭ（eight to fourteen modulation）エンコードなどのディジタルデータ処理を行なう信号処理ＬＳＩ等の信号処理回路24と、記録ヘッドを駆動するドライブ回路等の記録回路25と、ミニディスク、記録可能なコンパクトディスク、記録可能なＤＶＤ等の記録ディスク27にデータを書き込む磁気ヘッドや光学式ピックアップ等の記録ヘッド26と、トラックナンバーや曲名等のＴＯＣ情報（ディスク内容の目次情報）を表示する液晶パネル、液晶ディスプレイ、ＣＲＴモニタ等の表示部28とを備えている。
【００２１】
この光ディスク記録再生装置では、記録媒体に記載されたデータ及び記録可能領域情報がインデックス情報であるＵＴＯＣ（User's Table Of Contents）情報により管理される。
【００２２】
システムコントロール手段15は、光ディスク記録再生装置のシステム制御を行なうとともに、アナログレベル判定手段19の判定結果により、記録対象の音声のレベルが規定値を上廻るとき及び下廻るときに、ＵＴＯＣ情報として記録されるトラックナンバを逐次１ずつ更新する動作を行ない、また、ナンバリングされたトラックナンバが奇数か偶数かにより、無音のトラックか有音のトラックかの判別を行なう。
【００２３】
また、アナログレベル検出手段18は、必要とする音声の帯域のみを検出できるように、検波回路がフィルタ特性を有していることが好ましい。
【００２４】
また、記録回路25を構成するドライブ回路には、ドライバＩＣやトランジスタ、ＦＥＴなどが使用できる。
【００２５】
この装置では、操作部14からシステムコントロール手段15に記録開始の命令が入力されると、システムコントロール手段15は、音声入力手段16から記録対象の音声の入力を開始させる。音声のレベルはレベル増幅手段17により増幅され、Ａ／Ｄ変換手段20とアナログレベル検出手段18とに送られる。
【００２６】
Ａ／Ｄ変換手段20に送られた信号は、以下の流れにより、操作部14から記録停止命令が入力されるまで、記録ディスク27へ記録される。
【００２７】
Ａ／Ｄ変換手段20に送られた信号は、ディジタル信号に変換され、信号処理回路21で音声圧縮のエンコードがなされる。外部からのデータ入力の転送レートとディスクに記録されるデータの転送レートとに差異がある場合には、データの一時蓄積にメモリ手段23が用いられ、そのデータ書き込みや読み出しの制御にメモリ制御部22が用いられる。メモリ制御部22から出力されたディジタル信号は、信号処理回路24においてＥＦＭエンコードがなされ、そのデータは、記録回路25を通じて駆動される記録ヘッド26により記録ディスク27に記録される。
【００２８】
一方、アナログレベル検出手段18に送られた信号は、記録対象の音声の帯域のみに制限されて、アナログレベル判定手段19に入力され、ここで規定の閾値と比較される。システムコントロール手段15は、アナログレベル判定手段19の比較結果を基に、記録対象の音声のレベルが規定の閾値を上廻るとき及び下廻るときにトラックナンバを逐次１ずつ更新し、それをＵＴＯＣ情報として記録するように信号処理回路を制御する。
【００２９】
記録対象の音声のレベルが規定の閾値を上廻るときを有音、それが規定の閾値を下廻るときを無音とすれば、上記動作により、有音部を示すトラックナンバと無音部を示すトラックナンバとが交互に割り振られることとなる。
【００３０】
図３は、このトラックナンバの割り振りの動作を説明する図である。
【００３１】
ここでは、トラックナンバを１から開始しており、記録開始直後の無音状態（アナログレベル検出手段18の出力波形29がアナログレベル判定手段19の規定の閾値30を下廻る状態）の記録に対してトラックナンバ１を付している。記録対象の音声レベルが有音状態（アナログレベル検出手段18の出力波形29がアナログレベル判定手段19の規定の閾値30を上廻る状態）になると、システムコントロール手段15は、トラックナンバを１つ更新して、その状態の記録に対してトラックナンバ２を付すように指令する。次に、無音状態になると、トラックナンバをトラックナンバ３に更新する。こうした動作を繰り返すことにより、無音状態の記録に対して奇数番目のトラックナンバが付され、有音状態の記録に対して偶数番目のトラックナンバが付される。
【００３２】
この装置のアナログレベル検出手段18、アナログレベル判定手段19及びシステムコントロール手段15の動作について、図２のフローチャートを用いて説明する。
【００３３】
ステップ１：記録開始の操作が操作部14から行なわれると、
ステップ２：記録が開始されるトラックナンバ初期値ＴＮＯ０がトラックナンバＴＮＯとしてセットされ（好ましくは、トラックナンバ初期値はＵＴＯＣ情報から読み込まれる）、
ステップ３：アナログレベル判定手段19の閾値が設定される。
【００３４】
ステップ４：アナログレベル判定手段19は、アナログレベル検出手段18が検出した記録対象音声レベルと規定の閾値とを比較して、記録開始時のトラックナンバ初期値ＴＮＯ０が有音トラックか無音トラックかの判別を行なう。記録対象音声レベルの方が大きければ、つまりトラックナンバ初期値において有音ならば、
ステップ５：トラックナンバ初期値での状態が有音であることを示すフラグｇ＝０をセットする。
【００３５】
ステップ６：続いて、アナログレベル判定手段19は、アナログレベル検出手段18が検出した記録対象音声レベルと規定の閾値とが等しくなる状態、つまり、記録対象音声レベルが規定の閾値のレベルを横切る瞬間を監視する。記録対象音声レベルと規定の閾値のレベルとが等しくならなければ、
ステップ６’：記録終了が操作されない限り、同じ状態を継続する。
【００３６】
ステップ７：ステップ６において、記録対象音声レベルと規定の閾値のレベルとが等しくなったときには、システムコントロール手段15は、トラックナンバを１つ増加させる。
【００３７】
ステップ８：システムコントロール手段15は、記録を継続するかどうかを、記録終了の命令が入力されているかどうかによって判断する。記録を継続するときは、この状態では、記録対象音声レベルが規定の閾値のレベルよりも低くなっているので、後述する、記録対象音声レベルが規定の閾値のレベルよりも低い場合の処理であるステップ10へ遷移する。ステップ８において、記録を停止するときは、
ステップ13：ＵＴＯＣへ情報を記録し、
ステップ14：音声記録を終了する。
【００３８】
ステップ４において、規定の閾値のレベルの方が大きければ、つまりトラックナンバ初期値において無音ならば、
ステップ９：トラックナンバ初期値での状態が無音であることを示すフラグｇ＝１をセットし、
ステップ10：記録対象音声レベルが規定の閾値のレベルと等しくなる状態を監視する。記録対象音声レベルと規定の閾値のレベルとが等しくならなければ、
ステップ10’：記録終了が操作されない限り、同じ状態を継続する。
【００３９】
ステップ11：ステップ10において、記録対象音声レベルと規定の閾値のレベルとが等しくなったときには、システムコントロール手段15は、トラックナンバを１つ増加させ、
ステップ12：記録を継続するかどうかの判断を行なう。このとき、記録対象音声レベルは規定の閾値のレベルよりも高くなっているので、記録を継続する場合は、前述の記録対象音声レベルが規定の閾値のレベルよりも高い場合の処理であるステップ６へ遷移する。ステップ12で記録を停止する場合は、
ステップ13：ＵＴＯＣへ情報を記録し、
ステップ14：音声記録を終了する。
【００４０】
この場合の有音トラックナンバは、次の（数１）で簡単に表現できる。
【００４１】
ＴＮＯ＝（ＴＮＯ０＋ｇ）＋２ｎ                      （数１）
但し、ｎ＝0,1,2,‥,int(((ＴＮＯＥ−ＴＮＯ０)−ｇ)／２）
ここで、ＴＮＯＥは記録の終了トラックナンバであり、ＴＮＯ０は記録が開始されるトラックナンバ初期値である。また、ｇはトラックナンバ初期値において有音か無音かを示すフラグであり、トラックナンバ初期値において有音であればｇ＝０がセットされ、無音であればｇ＝１がセットされる。また、ｉｎｔ（ｘ）はｘの整数化（小数点以下切り捨て）を示す関数と定義する。
【００４２】
このように、第１の実施形態の光ディスク記録再生装置は、記録対象の音声レベルをアナログレベルで検出するアナログレベル検出手段と、音声レベルと規定値とをアナログレベルで比較判定するアナログレベル判定手段と、アナログレベル判定手段の判定結果により、記録対象の音声レベルが規定の閾値のレベルを横切るときにトラックナンバを逐次１ずつ更新するシステムコントロール手段とを持つことによって、無音状態が記録されるトラックナンバを奇数、偶数の内のいずれか一方に、有音状態が記録されるトラックナンバを奇数、偶数の内の他方にそれぞれ設定することができる。
【００４３】
従って、ナンバリングされたトラックナンバが奇数か偶数かにより、無音のトラックか有音のトラックかを容易に判別することができ、有音部だけを再生したり、無音部をチェックしたりすることを簡単に実行することができる。
【００４４】
（第２の実施の形態）
第２の実施形態の光ディスク記録再生装置は、音声レベルの検出、音声レベルと閾値との比較を、ディジタルデータによって行なう。
【００４５】
この装置は、図４に示すように、第１の実施形態（図１）で有していたアナログレベル検出手段やアナログレベル判定手段を持っておらず、それに代わって、信号処理回路36が、Ａ／Ｄ変換後の入力音声信号のディジタルレベルを検出して、それを閾値のディジタル値と比較し、大小の判定を行なう。そして、システムコントロール手段32が、その判定結果に基づいてトラックナンバを更新する処理を実行する。システムコントロール手段32は、また、ナンバリングされたトラックナンバが奇数か偶数かにより、無音のトラックか有音トラックかの判別を行なう。その他の構成は第１の実施形態と変わりがない。
【００４６】
この装置の信号処理回路36及びシステムコントロール手段32の動作について、図５のフローチャートを用いて説明する。
【００４７】
ステップ15：記録開始の操作が操作部31から行なわれると、
ステップ16：記録が開始されるトラックナンバ初期値ＴＮＯ０がトラックナンバＴＮＯとしてセットされ（好ましくは、トラックナンバ初期値はＵＴＯＣ情報から読み込まれる）、
ステップ17：規定の閾値のディジタル値（Ａ／Ｄ変換値）が設定される。
【００４８】
ステップ18：記録対象音声レベルのＡ／Ｄ変換値と規定の閾値のＡ／Ｄ値とを比較して、記録開始時のトラックナンバ初期値ＴＮＯ０が有音トラックか無音トラックかの判別を行なう。記録対象音声レベルのＡ／Ｄ変換値の方が大きければ、つまりトラックナンバ初期値において有音ならば、
ステップ19：トラックナンバ初期値での状態が有音であることを示すフラグｇ＝０をセットする。
【００４９】
ステップ20：続いて、記録対象音声レベルのＡ／Ｄ変換値と規定の閾値のＡ／Ｄ値とが等しくなる状態、つまり、記録対象音声レベルのＡ／Ｄ変換値が規定の閾値のＡ／Ｄ値を横切る瞬間を監視する。記録対象音声レベルのＡ／Ｄ変換値と規定の閾値のＡ／Ｄ値とが等しくならなければ、
ステップ20’：記録終了が操作されない限り、同じ状態を継続する。
【００５０】
ステップ21：ステップ20において、記録対象音声レベルのＡ／Ｄ変換値と規定の閾値のＡ／Ｄ値とが等しくなったときは、トラックナンバを１つ増加させる。
ステップ22：記録を継続するかどうかを、記録終了の命令が入力されているかどうかによって判断する。記録を継続するときは、この状態では、記録対象音声レベルのＡ／Ｄ変換値が規定の閾値のＡ／Ｄ値よりも低くなっているので、後述する、記録対象音声レベルのＡ／Ｄ変換値が規定の閾値のＡ／Ｄ値よりも低い場合の処理であるステップ24へ遷移する。ステップ22において、記録を停止するときは、
ステップ27：ＵＴＯＣへ情報を記録し、
ステップ28：音声記録を終了する。
【００５１】
ステップ18において、規定の閾値のＡ／Ｄ値の方が大きければ、つまりトラックナンバ初期値において無音ならば、
ステップ23：トラックナンバ初期値での状態が無音であることを示すフラグｇ＝１をセットし、
ステップ24：記録対象音声レベルのＡ／Ｄ変換値が規定の閾値のＡ／Ｄ値と等しくなる状態を監視する。記録対象音声レベルのＡ／Ｄ変換値と規定の閾値のＡ／Ｄ値とが等しくならなければ、
ステップ24’：記録終了が操作されない限り、同じ状態を継続する。
【００５２】
ステップ25：ステップ24において、記録対象音声レベルのＡ／Ｄ変換値と規定の閾値のＡ／Ｄ値とが等しくなったときは、トラックナンバを１つ増加させ、
ステップ26：記録を継続するかどうかの判断を行なう。このとき、記録対象音声レベルのＡ／Ｄ変換値は規定の閾値のＡ／Ｄ値よりも高くなっているので、記録を継続する場合は、前述の記録対象音声レベルのＡ／Ｄ変換値が規定の閾値のＡ／Ｄ値よりも高い場合の処理であるステップ20へ遷移する。ステップ26で記録を停止する場合は、
ステップ27：ＵＴＯＣへ情報を記録し、
ステップ28：音声記録を終了する。
【００５３】
この場合の有音トラックナンバは、第１の実施形態と同様に、（数１）で表現される。
【００５４】
このように、第２の実施形態の光ディスク記録再生装置では、特別のアナログ回路を設けずに、信号処理回路の中でのディジタル処理と、システムコントロール手段の動作とによって、無音トラック及び有音トラックに奇数か偶数かのトラックナンバを割り振る処理を行なうことができる。
【００５５】
（第３の実施の形態）
第３の実施形態は、第１及び第２の実施形態の光ディスク記録再生装置（図１、図４）において、ＵＴＯＣへの情報の記録に際し、トラックナンバを編集するようにしたものである。
【００５６】
この装置では、システムコントロール手段が、無音トラック同士をまとめて１つのトラックナンバとするＵＴＯＣ情報の編集を行ない、また、有音トラック同士をまとめて１つのトラックナンバとするＵＴＯＣ情報の編集を行ない、編集した結果をＵＴＯＣに記録する。
【００５７】
システムコントロール手段は、図６のフローチャートに示す動作を行なう。この動作の手順は、図２、図５のフローチャートの「ｅ」以降の手順として実行される。
【００５８】
ステップ29：記録停止が操作されると、システムコントロール手段は、無音トラック同士をまとめて１つのトラックナンバに編集し、また、有音トラック同士をまとめて１つのトラックナンバに編集し、ＵＴＯＣに記録する。
【００５９】
このとき、（数１）で示す有音トラック同士をまとめて、例えば、記録が開始されるトラックナンバ初期値ＴＮＯ０として編集し、また、（数１）以外のトラックナンバ、即ち無音トラック同士をまとめて、トラックナンバ初期値の次のトラックナンバＴＮＯ０＋１として編集し、ＵＴＯＣに記録する。
【００６０】
このように、第３の実施形態の光ディスク記録再生装置では、複数の有音トラック同士及び複数の無音トラック同士をそれぞれ、１つのトラックナンバに統合するようにＵＴＯＣ情報の編集を行なうことができる。こうすることによって、トラックナンバが多くなり過ぎることを防ぎ、ＵＴＯＣ情報による管理をし易くする。
【００６１】
（第４の実施の形態）
第４の実施形態では、記録途中で有音部と無音部とに逐次設定するトラックナンバが規定数を超えないようにしている。
【００６２】
この装置は、トラックナンバが規定数２５５に達したか否かを判定するトラックナンバ判定手段と、トラックナンバが２５５に達したときに、無音トラック同士をまとめて１つのトラックナンバとし、また、有音トラック同士をまとめて１つのトラックナンバとするためのＵＴＯＣ情報の編集を行なうシステムコントロール手段とを具備しており、このトラックナンバ判定手段とシステムコントロール手段とが図７のフローチャートに示す動作を行なう。この動作の手順は、図２及び図５のフローチャートの「ａ」「ｃ」以降の手順として実行される。
【００６３】
ステップ31、ステップ32：システムコントロール手段がトラックナンバを１つ増加すると、トラックナンバ判定手段は、トラックナンバが規定数２５５に達したか否かを判定し、トラックナンバが２５５未満の場合は、Ｎｏの方へ条件分岐する。
【００６４】
この場合には、図２及び図５のフローチャートの「ａ’」または「ｃ’」に戻り、図２及び図５のフローチャートの後続する手順が実行される。
【００６５】
ステップ31、ステップ32において、トラックナンバが規定数２５５に達したときは、
ステップ33：システムコントロール手段は、（数１）で示す有音トラック同士をまとめて、そのトラックナンバとして、例えば、トラックナンバ初期値ＴＮＯ０を設定し、また、（数１）以外のトラックナンバ、即ち無音トラック同士をまとめて、トラックナンバ初期値の次のトラックナンバＴＮＯ０＋１を設定する。
ステップ34：次いで、トラックナンバ初期値での状態を示すフラグｇが０であるかどうかを判断し、ｇ＝０であれば、図２及び図５のフローチャートの「ｂ」に戻り、また、ｇ＝０でなければ、図２及び図５のフローチャートの「ｄ」に戻る。
【００６６】
この実施形態の装置では、このような動作を行なうことによって、記録中に、有音部、無音部の繰り返しにより逐次増加するトラックナンバが、規定の２５５トラックを超えないようにすることができる。
【００６７】
この実施形態は、入力データをメモリに記憶させてから記録媒体に記録する装置であって、メモリから記録媒体に記録する際の転送レートが、記録データを外部からメモリへ入力する際の転送レートより速く、また、データを記録媒体からメモリへ読み出す際の転送レートが読出しデータをメモリから外部へ出力する転送レートよりも速い光ディスク記録装置に適用することができる。
【００６８】
（第５の実施の形態）
第５の実施形態は、記録媒体の記録可能な残り領域が減ったとき、無音トラックをオーバーライトすることにより記録動作を継続できるようにしている。
【００６９】
この装置は、ＵＴＯＣ情報に基づき記録中のディスクの記録可能な残り時間を判定するディスク残量判定手段と、ディスク残量判定手段の判定結果に基づいて、無音トラックとして判定されたトラックへのオーバライト記録を可能にするシステムコントロール手段とを具備しており、このディスク残量判定手段とシステムコントロール手段とが図８のフローチャートに示す動作を実行する。この動作の手順は、図２及び図５のフローチャートの「ａ」「ｃ」以降の手順として実行される。
【００７０】
ステップ35、ステップ36：システムコントロール手段がトラックナンバを１つ増加すると、ディスク残量判定手段は、ＵＴＯＣ情報と書き込み中のアドレスとにより記録可能な残り時間がゼロになったか否かを判定する。ディスクの記録可能な残り時間が０でない場合は、Ｎｏの方へ条件分岐する。
【００７１】
この場合には、図２及び図５のフローチャートの「ａ’」または「ｃ’」に戻り、図２及び図５のフローチャートの後続する手順が実行される。
【００７２】
ステップ35、ステップ36において、記録可能な残り時間がゼロのときは、
ステップ37：記録中のトラックナンバのうち（数１）で示す以外のトラックナンバ、即ち、無音トラックを順にオーバライトして記録動作を継続する。オーバライトした無音トラックのトラックナンバは、ＵＴＯＣ編集の際、記録中のトラックナンバと同一になるようにＵＴＯＣ情報を修正して記録する。
【００７３】
ステップ38：次いで、トラックナンバ初期値での状態を示すフラグｇが０であるかどうかを判断し、ｇ＝０であれば、図２及び図５のフローチャートの「ｂ」に戻り、また、ｇ＝０でなければ、図２及び図５のフローチャートの「ｄ」に戻る。
【００７４】
この実施形態の装置では、このように無音部をオーバーライトすることによって、ディスクの記録領域を有効に活用することができる。
【００７５】
この実施形態は、入力データをメモリに記憶させてから記録媒体に記録する装置であって、メモリから記録媒体に記録する際の転送レートが、記録データを外部からメモリへ入力する際の転送レートより速く、また、データを記録媒体からメモリへ読み出す際の転送レートが読出しデータをメモリから外部へ出力する転送レートよりも速い光ディスク記録装置に適用することができる。
【００７６】
（第６の実施の形態）
第６の実施形態の装置では、無音トラックの再チェックを実施することができる。
【００７７】
この装置は、無音トラックと判別されたトラックを再生し、その音声レベルと規定の閾値とを比較する無音トラック再チェック手段と、再チェックで有音トラックと判定されたトラックのトラックナンバを、その前後に存在する有音トラックのトラックナンバと統合するＵＴＯＣ情報の編集を行なうシステムコントロール手段とを具備しており、この無音トラック再チェック手段とシステムコントロール手段とが図９のフローチャートに示す動作を行なう。
【００７８】
ステップ39：無音トラック確認の開始操作が行なわれると、
ステップ40：記録開始時のトラックナンバ初期値ＴＮＯ０において、フラグｇが０（有音）であったか１（無音）であったかを判別し、ｇ＝０の場合に、
ステップ41：カウンタを一旦−１に設定した後、
ステップ42：インクリメントしてカウンタを０に設定する。
【００７９】
ステップ43：無音トラック再チェック手段は、無音トラックと判別されたトラック、即ち、トラックナンバがＴＮＯ＝（ＴＮＯ０＋１）＋２ｎのトラックを順次再生し、
ステップ44：再生信号レベルのＡ／Ｄ変換値と規定の閾値とを比較する。閾値の方が大きければ、つまり再チェックの結果、無音であるならば、次の無音トラックのチェックに移る。そのために、
ステップ46：カウンタの値ｎが最後の無音トラックｉｎｔ（（ＴＮＯＥ−ＴＮＯ０−１)／２）に達していなければ、
ステップ42に戻り、カウンタの値を１つインクリメントして、ステップ43以降の手順を繰り返す。
【００８０】
ステップ44において、再生信号レベルのＡ／Ｄ変換値の方が規定の閾値より大きいときは、
ステップ45：ＵＴＯＣ情報の修正を行なう。このとき、再チェックにより有音と判断されたトラックナンバを、その前後に位置する有音トラックのトラックナンバとまとめて１つのトラックナンバに修正し、ＵＴＯＣ情報を再編集する。
【００８１】
即ち、再チェックにより有音と判断されたトラックナンバがＴＮＯ０＋１＋２ｎであるとき、その前後の有音トラックであるＴＮＯ０＋２ｎとＴＮＯ０＋２＋２ｎとを合わせた３トラックに対して新たにトラックナンバＴＮＯ０＋２ｎを設定するようにＵＴＯＣ情報を修正し、それに併せて、それ以降のトラックナンバについても更新する。
【００８２】
ステップ46において、カウンタの値ｎが最後の無音トラックｉｎｔ（（ＴＮＯＥ−ＴＮＯ０−１)／２）に達したときは、
ステップ53：ＵＴＯＣに、再チェックの内容に従って情報を記録し、今までの記録を更新する。そして、
ステップ54：無音トラックの確認の動作を終了する。
【００８３】
ステップ40において、ｇ＝１のときは、ステップ47からステップ52までの手順において、ステップ41からステップ46までと同様の動作を行なう。ただ、この場合には、ｇ＝１であるため、無音トラックがＴＮＯ０＋２ｎとなるところだけが違っている。
【００８４】
このように、この実施形態の装置では、無音と判定されたトラックについて後から再チェックし、判定が誤っているときに、それを修正することができる。
【００８５】
【発明の効果】
以上の説明から明らかなように、本発明の光ディスク記録再生装置は、次のような効果を奏する。
【００８６】
有音部及び無音部を記録するトラックに対して、トラックナンバを奇数か偶数かに分けて付与しているため、有音部と無音部とを容易に識別することができ、有音部だけの再生を簡単に行なうことができる。
【００８７】
また、無音部を記録に残しているため、後から再チェックして、判定の誤りを修正することができる。この再チェックにより、有音部と無音部との判定の確実性を高めることができる。このとき、有音トラックと無音トラックとの区別が簡単に付くため、無音トラックの再チェックの実行が容易となる。
【００８８】
また、複数の有音トラックや複数の無音トラックを１つのトラックナンバの下に統合することができ、トラックの管理をやり易くし、あるいは、トラックナンバが規定数を超えることを防ぐことができる。こうしたトラックナンバの修正に際しても、有音トラックと無音トラックとの区別が簡単に付くため、その実行が容易となる。
【００８９】
また、ディスクの記録領域の残りが無くなったとき、記録された無音部の上にオーバライトして、記録領域の有効活用を図ることができる。こうした処理は、無音トラックが簡単に識別できることから可能となる。
【図面の簡単な説明】
【図１】本発明の第１の実施形態における光ディスク記録再生装置の構成を示すブロック図、
【図２】第１の実施形態の光ディスク記録再生装置の動作を示すフローチャート、
【図３】第１の実施形態の光ディスク記録再生装置の動作説明図、
【図４】本発明の第２の実施形態における光ディスク記録再生装置の構成を示すブロック図、
【図５】第２の実施形態の光ディスク記録再生装置における信号処理回路とシステムコントロール手段の動作を示すフローチャート、
【図６】本発明の第３の実施形態におけるシステムコントロール手段の動作を示すフローチャート、
【図７】本発明の第４の実施形態におけるトラックナンバ判定手段とシステムコントロール手段との動作を示すフローチャート、
【図８】本発明の第５の実施形態におけるディスク残量判定手段とシステムコントロール手段との動作を示すフローチャート、
【図９】本発明の第６の実施形態における無音トラック再チェック手段とシステムコントロール手段との動作を示すフローチャート、
【図１０】従来例の光ディスク記録再生装置の構成を示すブロック図である。
【符号の説明】
１、14、31  操作部
２  システムコントロール部
３  音声入力回路
４、11、21、24、36、39  信号処理回路
５  レベル検出器
６  レベル比較器
７、22、37  メモリ制御部
８  半導体メモリ
９  Ａ／Ｄ変換回路
10  Ｄ／Ａ変換回路
12、25、40  記録回路
13、27、42  記録ディスク
15、32  システムコントロール手段
16、33  音声入力手段
17、34  レベル増幅手段
18  アナログレベル検出手段
19  アナログレベル判定手段
20、35  Ａ／Ｄ変換手段
23、38  メモリ手段
26、41  記録ヘッド
29  アナログレベル検出手段の出力
30  アナログレベル判定手段の規定閾値
【図１】
0003957788.tif 000002
【図２】
0003957788.tif 000003
【図３】
0003957788.tif 000004
【図４】
0003957788.tif 000005
【図５】
0003957788.tif 000006
【図６】
0003957788.tif 000007
【図７】
0003957788.tif 000008
【図８】
0003957788.tif 000009
【図９】
0003957788.tif 000010
【図１０】
0003957788.tif 000011